(57)【要約】【課題】コマセカゴの蓋が水面とぶつかった際の衝撃によって開くことがなく、コマセを水中でタイミング良く放出することができるコマセカゴを提供する。【解決手段】コマセを収納するコマセカゴ１の中央部に設けられ前記コマセを収納するコマセ入れ室１１と、このコマセ入れ室の上部に設けた受水室１３と、前記コマセ入れ室の下部に開閉自在に設けた蓋体１５と、この蓋体を開閉するための開閉機構１０とを備え、前記開閉機構は、前記受水室内に配置された受水板１９と、この受水板の一端側を支持してその支持した位置を支点とし前記受水板を所定角度の範囲で回動させる支持手段２０と、前記コマセ入れ室側の壁面側に支持され前記蓋体を開閉自在に係合する係合手段１６と、この係合手段および前記支持手段とを連結して連動させる連結部材１８と、前記係合手段を前記蓋体に係合させる方向に付勢する弾性部材１７と、を有する構成した。【選択図】        図１
2005013088.tif 000002
【特許請求の範囲】
【請求項１】
魚釣りに用いられるコマセを収納するコマセカゴにおいて、前記コマセカゴの中央部に設けられ前記コマセを収納するコマセ入れ室と、このコマセ入れ室の上部に設けられ周面に受水口が形成された受水室と、前記コマセ入れ室の下部に開閉自在に設けられた蓋体と、この蓋体および前記受水室に亘って設けられ前記蓋体を開閉するための開閉機構とを備え、
前記開閉機構は、前記受水室内に配置された受水板と、この受水板の一端側を前記コマセ入れ室または前記受水室の壁面側に支持してその支持した位置を支点とし前記受水板を所定角度の範囲で回動させる支持手段と、前記コマセ入れ室側の壁面側に支持され前記蓋体を開閉自在に係合する係合手段と、この係合手段および前記支持手段とを連結して連動させる連結部材と、前記係合手段を前記蓋体に係合させる方向に付勢する弾性部材と、を有することを特徴とするコマセカゴ。
【請求項２】
前記蓋体は、錘が取付けられていることを特徴とする請求項１に記載のコマセカゴ。
【請求項３】
前記コマセ入れ室は、網目状に形成されたことを特徴とする請求項１または請求項２に記載のコマセカゴ。
【発明の詳細な説明】
【０００１】
【発明の属する技術分野】
本発明は、魚釣りで用いられるコマセを散布するための仕掛けを有するコマセカゴに関するものである。
【０００２】
【従来の技術】
周知のとおり、魚釣りにはコマセカゴを用いることが多々ある。このコマセカゴは、内部に練り物あるいはオキアミなどのコマセを収容し、釣り糸の任意の位置に取付け、水中に投入し、釣り針の周辺にコマセを放出し、魚をおびき寄せるためのものである。図４はコマセカゴを示す正面図である。
【０００３】
図４に示すように、従来のコマセカゴ４は上部が先端にかけてテーパ上に先細りしたコマセ入れ室４１と、このコマセ入れ室の下部に開閉自在に取付けた蓋４２とを備えており、前記コマセ入れ室４１の上部の周面には、受水口４３が形成されている。
【０００４】
また、コマセ入れ室４１の蓋４２は、その取付け部分の一方に蝶番４５が設けられていると共に、他方には、係止突起４６が設けられている。そして、コマセ入れ室４１の外周面には、蓋４２の係止突起４６を係止するためのホルダ４７が設けられている。
【０００５】
実際の魚釣りにコマセカゴ４を用いるには、コマセカゴ４のコマセ入れ室４１にコマセを入れて蓋４２を閉じ、この蓋４２の係止突起４６をホルダ４７にて係止して準備する。
【０００６】
準備したコマセカゴ４を、図示しない釣竿で水面のポイントめがけて投入すると、図５に示すように、コマセカゴ４は、ある距離を飛んで水面に落下する。そして、コマセカゴ４は水面で衝撃を受けて、蓋４２に設けられた係止突起４６を係止していたホルダ４７が外れただけで蓋４２が開放しない状態となる。この後、コマセカゴ４は蓋４２を下方に向けた姿勢で徐々に水中に自重により所定の速度で水没していき、降下するコマセカゴ４に加わる水圧により、コマセカゴ４の蓋４２は閉じたままの状態を保持する。
【０００７】
しかるのち、図示しない釣竿を操作する（例えば、釣竿を上方向へ動かす）と、受水口４３からコマセ入れ室４１内へ水が入ると共に、その受水口４３から入った水の勢いにより蓋４２を開放させる。そのため、受水口４３から入った水は、コマセ入れ室４１内のコマセを外部へ押し出すこととなり、コマセ入れ室４１内のコマセを水中に放出する（非特許文献１参照）。このようにして、従来は、図示しない釣り針の周辺にコマセを放出して魚をおびきよせていた。
【０００８】
【非特許文献１】
月刊磯・投げ情報（株式会社海悠出版）２００２年１０月号第１５０頁
【０００９】
【発明が解決しようとする課題】
しかしながら、従来のコマセカゴの構成では以下に示すような問題点が存在した。すなわち、図５に示すように、従来のコマセカゴ４では、水面とぶつかった際の衝撃によって、コマセカゴ４と蓋４２との係合状態が、ホルダ４７が係合突起４６から外れることで、蓋４２を開放する準備状態としている。そして、コマセカゴ４は、水中の所定位置までその蓋４２が閉じた状態で水中を降下することになっているが、コマセカゴ４の蓋４２が水面に衝突する際に開いてしまうことがあった。そのため、コマセカゴ４が水中に沈む前にコマセ入れ室４１に収容したコマセ５を水中に放出してしまい、コマセ５を有効に使用できないという問題があった。
【００１０】
前記のような従来の問題を鑑みて、本発明は創案されたものであり、コマセカゴの蓋が水面とぶつかった際の衝撃によって開くことがなく、コマセを水中でタイミング良く放出することができるコマセカゴを提供することを目的とする。
【００１１】
【課題を解決するための手段】
本発明に係るコマセカゴは、前記課題を解決するため以下のような構成とした。
すなわち、魚釣りに用いられるコマセを収納するコマセカゴにおいて、前記コマセカゴの中央部に設けられ前記コマセを収納するコマセ入れ室と、このコマセ入れ室の上部に設けられ周面に受水口が形成された受水室と、前記コマセ入れ室の下部に開閉自在に設けられた蓋体と、この蓋体および前記受水室に亘って設けられ前記蓋体を開閉するための開閉機構とを備え、前記開閉機構は、前記受水室内に配置された受水板と、この受水板の一端側を前記コマセ入れ室または前記受水室の壁面側に支持してその支持した位置を支点とし前記受水板を所定角度の範囲で回動させる支持手段と、前記コマセ入れ室側の壁面側に支持され前記蓋体を開閉自在に係合する係合手段と、この係合手段および前記支持手段とを連結して連動させる連結部材と、前記係合手段を前記蓋体に係合させる方向に付勢する弾性部材と、を有するコマセカゴの構成とした（請求項１）。
【００１２】
このように構成されているため、コマセカゴは、蓋体を開口させた状態でコマセをコマセ入れ室に入れた後、蓋体を閉じて係合手段により係合した状態でその蓋体を閉じて準備する。そして、コマセカゴが水面に向かって投下されたとき水面に衝突しても、常に弾性部材によって蓋体が係合手段により係合される方向に付勢されているために開口することなく、水中に自重により降下していく。さらに、コマセカゴは、所定の位置に降下したときに、釣竿の上方に引く動作により、受水室内の水により強制的に押されて受水板が、支持手段の支持されている位置を支点として、その面に直交する方向に移動させられる。そして、コマセカゴは、受水板が押されて所定範囲で移動することに伴い、連結部材を弾性部材の付勢力に抗して押動し、係合手段の係合を外して蓋体を開放しコマセ入れ室のコマセを水中に散布している。
【００１３】
また、前記コマセカゴにおいて、前記蓋体は、錘が取付けられている構成とした（請求項２）。このように構成されることにより、コマセカゴは、受水板により連結部材を介して係合手段が係合する蓋体から外れるように作動すると、蓋体が錘により確実に開放する。
【００１４】
さらに、前記コマセカゴにおいて、前記コマセ入れ室は、網目状に形成されている構成とした（請求項３）。このように構成されることにより、コマセカゴは水中でコマセ入れ室に収納されているコマセが網目から拡散して水中に撒かれ、かつ、蓋体を開口して一度にコマセを撒くことができる。
【００１５】
【発明の実施の形態】
以下、本発明の実施の形態について、図面を参照して説明する。
図１はコマセカゴを示す正面図、図２はコマセカゴの図１のＸ−Ｘ断面図、図３（ａ）、（ｂ）、（ｃ）はコマセカゴの使用状態を示す模式図である。
図１および図２に示すように、コマセカゴ１は、中央部に設けたコマセ入れ室１１と、このコマセ入れ室１１の上部に設けた受水室１３と、コマセ入れ室１１の下部に設けた蓋体１５と、この蓋体１５および受水室１３に亘って設けた開閉機構１０とを備えている。
【００１６】
なお、このコマセカゴ１は、図１に示すように、ラインによりもどしを介して接続された天秤に、釣り糸取付け部３２が係合されて取り付けられている。そして、天秤の先端に設置されたよりもどしを介して接続されたハリスに釣り針および餌が取り付けられ、コマセカゴ１のコマセ入れ室１１内に蓋体１５側から挿入されている。
【００１７】
受水室１３は先端にかけて先細りしたテーパ状に形成されており、その周面に受水口１２が形成されている。また、この受水室１３の頂部には、釣り糸を取付けるための釣り糸取付け部３２が設けられている。そして、この受水室１３内には、受水口１２から取り込まれる水を受けて移動する開閉機構１０の受水板１９が支持手段２０により設置されている。
【００１８】
図１および図２に示すように、コマセ入れ室１１は、ここでは、その壁面が金属線などにより網目状に形成されており、上下に配置された上端縁２１および下端縁２４の間に筒状に形成されている。そして、このコマセ入れ室１１は、上端縁２１側から所定距離下がった位置に、室内を仕切るように隔壁３１が網目状に形成されている。この隔壁３１は、開閉機構１０の連結部材１８を連通するための開口３１ａが形成されており、コマセがコマセ入れ室１１に収納されたときに受水室１３との仕切りとなるものである。
【００１９】
隔壁３１は、受水室１３側にコマセが入り込んで受水板１９の動作に支障をきたすことがなければ、コマセ入れ室１１と受水室１３の間を、１／３、１／４、１／２あるいは３／４の範囲で覆うように設置しても構わない。
なお、この隔壁３１が形成される場合には、コマセを無造作にコマセ入れ室１１に入れても、受水室１３側にコマセが入り込むことがなく都合がよい。また、コマセが受水室１３側に入らないように配慮してコマセをコマセ入れ室１１に入れるようにすれば、特に設置される必要はない。
【００２０】
図１に示すように、蓋体１５は、下端縁２４に当接するように形成された円形の薄板の一端側を、その下端縁２４に回動自在に支持する取付部２５により取付けられている。この蓋体１５は、その下面（上面でも可）に鉛などで形成された錘１４が固定されている。
【００２１】
図１および図２に示すように、開閉機構１０は、受水板１９と、この受水板１９を所定角度に回動自在に支持する支持手段２０と、この支持手段２０に一端側の連結部２３が連結される連結部材１８と、この連結部材１８の他端側の連結部２９が連結され蓋体１５を着脱自在に係合する係合手段１６と、この係合手段１６が常に蓋体１５に当接して係合するように付勢する弾性部材１７とを備えている。
【００２２】
受水板１９は、ここでは円形の薄板からなり、受水室１３およびコマセ入れ室１１の直径より、縮経した直径に形成されており、その周縁の一端を支持手段２０により固定されている。この受水板１９は、上端縁２１に対して受水室１３の側壁に接触しない状態で所定の傾斜角度になるように支持されている。そして、この受水板１９は、隔壁３１の近傍あるいは当接する位置（所定角度の範囲）まで回動する。
【００２３】
支持手段２０は、受水板１９を固定して支持する固定部２０ａと、この固定部２０ａを支持してコマセ入れ室１１の上端縁２１（壁面側）に回動自在に係合する回動支持部２０ｂと、この回動支持部２０ｂからコマセ入れ室１１側に延びる支持アーム２０ｃと、この支持アーム２０ｃの下端部に設けられ連結部材１８の連結部２３を取付ける取付部２０ｄとを備えている。
【００２４】
係合手段１６は、蓋体１５に当接して係合する係合部２６と、この係合部２６が所定角度に回動するようにコマセ入れ室１１の下端縁２４に支持される回動係合部３０と、この回動係合部３０から延びる係合アーム２７と、この係合アーム２７の上端部に設けられ連結部材１８の連結部２９を取付ける取付部２８とを備えている。
なお、係合部２６の近傍には、突出部２６ａが設けられており、係合部２６の係合状態を手指で操作し易いように構成されている。なお、この係合手段１６が所定角度の範囲において回動自在となるように、コマセ入れ室１１の側面において所定位置に開口が形成されている。
【００２５】
連結部材１８は、所定の長さを有する条材（棒材、線材、細板材など）により形成されその本体部２２の両端位置に、支持手段２０の取付部２０ｄおよび係合手段１６の取付部２８に連結される連結部２３、２９を備えている。この連結部材１８の連結部２３，２９は、直線状の本体部２２から所定角度（ここでは９０度）折り曲げて形成されている。なお、連結部２９には、その先端部分に弾性部材１７の一方を支持するように、ここでは溝が形成されている。
【００２６】
この連結部材１８は、受水室１３に設置されている受水板１９の動作により支持手段２０の取付部２０ｄを上方または下方に移動させ、その取付部２０ｄの移動に伴って、係合手段１６の係合部２６が蓋体１５から当接離間する動作を行なうように連動させるものである。
【００２７】
弾性部材１７は、その一端を連結部材１８の連結部２９に係合すると共に、その他端をコマセ入れ室１１の隔壁３１に係合して配置されている。この弾性部材１７は、ここではコイルスプリングが用いられ、係合手段２６が常に蓋体１５に対して当接して係合するように付勢されている。
【００２８】
次に、コマセカゴ１の使用方法について説明する。
釣り糸をコマセカゴ１の釣り糸取付け部３２に取付け、また、蓋体１５を開いてコマセ５をコマセ入れ室１１に入れた後、蓋体１５を閉じてから係合手段１６によって蓋体１５を係合して準備する。なお、コマセ５をコマセ入れ室１１内に収納するときには、コマセカゴ１は、係合手段１６の突出部２６ａを手指により押動することで、弾性部材１７の付勢力に抗して連動部材１８を上方に押動して、係合手段１６の係合を外し、蓋体１５を開口することができるため、操作し易い。また、図示しない釣竿、釣り針、浮きなどの釣りに必要な器具は既存のものが用いられる。
【００２９】
次に、図示しない釣竿でコマセカゴ１を水中へ投入する。コマセカゴ１は、ある距離を飛んで水面に落下する。このとき、図３（ａ）に示すように、コマセカゴ１は水面とぶつかって衝撃を受けるが、蓋体１５は、係合手段１６が常に弾性部材１７によって係合される方向に付勢されることで、コマセ入れ室１１を閉めた状態を維持して、蓋体１５が開いてコマセ５を放出してしまうことがない。
【００３０】
そして、コマセカゴ１は、その後、図３（ｂ）に示すように、蓋体１５に設けられた錘１４により、蓋体１５を下方に向けた姿勢で徐々に水中を降下していく。そして、水中を降下していくときには、このコマセカゴ１は、受水室１３内に受水口１２から徐々に水が浸入して充満し、また、コマセ入れ室１１内にも水が充満している状態となる。さらに、コマセカゴ１は、コマセ入れ室１１を網目状とすることで、水中を降下して行くときに、コマセ入れ室１１内に水が入り込みやすく、蓋体１５を下方とした適正な姿勢として、水中を降下する状態を直ぐに整えることができる。
【００３１】
しかるのち、コマセカゴ１が所望とする水深の位置まで到達したと判断すると、図示しない釣竿を操作して（釣竿を上又は横方向へ動かす）、受水室１３内に水が充満している状態において、さらに受水口１２から受水室１３内へ強制的に水が入る方向に力が加わり、受水室１３内の受水板１９が下方に押されるように水の力を受ける。
【００３２】
受水板１９は、水圧によって竿を動かす方向に対して反対方向、つまり釣り糸を上方に引いたときには下側に押され、支持手段２０の固定部２０ａを下方に移動させる。そのため、支持手段２０は、回動支持部２０ｂが、弾性部材１７の付勢力に抗して所定角度回動して支持アーム２０ｃを下方に押し下げることで、連結部材１８が連動して下方に移動し係合手段１６を蓋体１５から離間させるように作動させる。
【００３３】
そして、コマセカゴ１は、この係合手段１６の作動によって係合手段１６が蓋体１５から外れ、蓋体１５が開くことで、コマセ入れ室１１内のコマセ５および図１に示す釣り針および餌を水中に放出している。
【００３４】
このように、コマセカゴ１は、水中に沈んだ後に、任意のタイミングで連結部材１８を介して蓋体１５を開かせることができるため、釣り対象としている魚の生息水域までコマセ入れ室１１のコマセ５を維持した状態でその後適切にそのコマセ５を撒くことができる。
【００３５】
なお、コマセカゴ１は、コマセ入れ室１１を網目状としていることにより、収納されるコマセ５の種類によっては、その網目からコマセが水中に徐々に拡散され、魚を寄せあつめ、目標となる水深になったときに、蓋体１５を開放してコマセを撒き、魚が釣れ易い状態を提供することができる。
【００３６】
また、コマセカゴ１は、ここでは、蓋体１５に錘１４を設けた状態として説明したが、錘１５は、コマセカゴ１のコマセ入れ室１１の中央より下部側に配置することや、また、針ハリス側やあるいは他の所定位置に設ける構成としても構わないものである。なお、錘がコマセ入れ室１１側に配置された（図示せず）場合は、水中にコマセカゴ１を投入する際に、蓋体１５が開く方向に力がかかり難くなるため都合がよい。さらに、コマセカゴ１は、係合手段１６により確実に蓋体１５が閉まっているため、ライントラブルになったときにも、蓋体１５を閉めた状態を維持でき、コマセを無駄にすることを防止できる。
【００３７】
【発明の効果】
以上、説明したように、本発明にかかるコマセカゴによれば、以下に示すような優れた効果を奏するものである。
コマセカゴは、蓋体に対して常に係合手段が係合するように、弾性部材により常に付勢されており、また、受水板が水圧により押動されることで、連結部材を介して弾性部材の付勢力に抗して係合手段を蓋体から離間するように連動させることができるため、コマセカゴの蓋が水面とぶつかった際の衝撃によって開くことがなく、コマセカゴ入れ室のコマセを水中でタイミング良く放出することができるものである。
【００３８】
コマセカゴは、蓋体に錘を設ける構成とすることで、係合部材が受水板および連結部材の連動により作動したときに、その蓋体を錘の重さで確実に開口するように下方に移動させることが可能となる。また、コマセカゴが常に蓋体側を下向きとして水中を降下させることが可能となる。
【００３９】
コマセカゴは、コマセ入れ室を網目状に形成することで、コマセの種類によっては水中を降下していくときにその網目からコマセが拡散して魚を集めた状態とすることができるため、蓋体が係合手段を解除することで開口させ、コマセを撒いたときに迅速に魚を集めることが可能となる。
【図面の簡単な説明】
【図１】本発明に係るコマセカゴを示す正面図である。
【図２】本発明に係るコマセカゴであって図１のＸ−Ｘ断面図である。
【図３】本発明に係るコマセカゴの使用状態を示す模式図である。
【図４】従来のコマセカゴを示す正面図である。
【図５】従来のコマセカゴの使用状態を示す模式図である。
【符号の説明】
１      コマセカゴ
１０    開閉機構
１１    コマセ入れ室
１３    受水室
１４    錘
１５    蓋体
１６    係合手段
１７    弾性部材
１８    連結部材
１９    受水板
２０    支持手段
２０ａ  固定部
２０ｂ  回動支持部
２０ｃ  支持アーム
２０ｄ  取付部
２１    上端縁
２３    連結部
２４    下端縁
２５    取付部
２６    係合部
２６ａ  突出部
２７    係合アーム
２８    取付部
２９    連結部
３０    回動係合部
３１    隔壁
３１ａ  開口
【図１】
2005013088.tif 000003
【図２】
2005013088.tif 000004
【図３】
2005013088.tif 000005
【図４】
2005013088.tif 000006
【図５】
2005013088.tif 000007